(57)【要約】      （修正有）【課題】商品陳列棚の設置場所の一端から他端までの途中、特に冷蔵ショーケースの一端から他端までの途中で、商品陳列棚の高さを変えることができ、デッドスペースを少なくすることができる商品陳列棚の設置形態を可能とする商品陳列棚設置具を提供する。【解決手段】複数の横長面材５を有し、複数の該横長面材５が、縦方向に順に間隔を開けて配置されることにより、複数の横溝６が形成されており、該横長面材の上側１０は、横方向の一端から他端までの全部又は一部が、商品陳列棚の後部に設けられている面材挟み込み部により挟み込まれることが可能になっている。【選択図】図４
2014150811.tif 000002
【特許請求の範囲】
【請求項１】
複数の横長面材を有し、
複数の該横長面材が、縦方向に順に間隔を開けて配置されることにより、複数の横溝が形成されており、
該横長面材の上側は、横方向の一端から他端までの全部又は一部が、商品陳列棚の後部に設けられている面材挟み込み部により挟み込まれることが可能になっていること、
を特徴とする商品陳列棚設置具。
【請求項２】
前記横溝内に、商品陳列棚の取り付け側から横長面材の裏側に繋がる貫通部が形成されていることを特徴とする請求項１記載の商品陳列棚設置具。
【請求項３】
前記貫通部が、前記横溝内の下側に形成されている横長の貫通孔であることを特徴とする請求項１又は２いずれか１項記載の商品陳列棚設置具。
【請求項４】
前記横溝内の下側に形成されている前記横長の貫通孔が、横溝内の下側の横方向の一端から他端に亘って形成されていることを特徴とする請求項３記載の商品陳列棚設置具。
【請求項５】
前記横溝内の下側に形成されている横長の貫通孔が、商品陳列棚の面材挟み込み部の片側の挿入孔になっていることを特徴とする請求項２〜４いずれか１項記載の商品陳列棚設置具。
【請求項６】
複数の前記横長面材により形成される商品陳列棚の取り付け側の面が、垂直方向に対して傾斜していることを特徴とする請求項１〜５いずれか１項記載の商品陳列棚設置具。
【請求項７】
冷蔵ショーケース内に設置される商品陳列棚の設置用であることを特徴とする請求項１〜６いずれか１項記載の商品陳列棚設置具。
【請求項８】
商品陳列棚設置具の横長面材の上側を挟み込む面材挟み込み部を後部に有することを特徴とする商品陳列棚。
【発明の詳細な説明】
【技術分野】
【０００１】
本発明は、商品を陳列するための商品陳列棚が取り付けられる商品陳列棚設置具であり、商品陳列棚を商品陳列形態に合わせて設置するために用いられる商品陳列棚設置用の設置具である。また、本発明は、該商品陳列棚設置具に取り付けられる商品陳列棚である。
【背景技術】
【０００２】
従来、冷蔵商品を陳列するための冷蔵ショーケースでは、多数のブラケット取り付け用の孔が形成されている縦長のブラケット取り付け用板又は柱が、該冷蔵ショーケースの奥の壁面の両横側近傍に２つ設置され、この縦長のブラケット取り付け用板又は柱のブラケット取り付け用孔に、ブラケットの係合部を係合させることにより一対のブラケットが取り付けられ、取り付けられたブラケットの上に、ガラス製の商品陳列棚板を載せることにより、商品陳列棚が冷蔵ショーケース内に設置されていた。
【０００３】
また、冷蔵されない商品の陳列場所でも、同様な方法で、商品陳列棚が設置されることもある。
【発明の概要】
【発明が解決しようとする課題】
【０００４】
しかし、縦長のブラケット取り付け用板又は柱と、ブラケットと、ガラス製の商品陳列棚板との組み合わせでは、各段の商品陳列棚板の高さを、冷蔵ショーケースの端から端まで同じ高さにすることしかできず、途中で高さを変えることはできなかった。
【０００５】
そのため、同じ段の商品陳列棚上に、高さの異なる商品を陳列した場合、一段上の商品陳列棚の位置を、背の高い方の商品に合わせて決めなければならず、背の低い方の商品の上と一段上の商品陳列棚との間が、デッドスペースとなってしまうという問題があった。
【０００６】
また、商品陳列棚の設置位置の変更においては、ガラス製の商品陳列棚板の取り外し及び一対のブラケットの取り外しと、それらの取り付けの作業が必要であり、多数の商品陳列棚が設置されている場合には、非常に作業が多くなってしまうという問題もあった。
【０００７】
他の商品陳列棚の設置形式としては、図１３に示すような、棚板の後部に上向けのＬ字状の係合部を設けた商品陳列棚を用い、商品陳列場所の壁面側には、横長の横溝を設け、その横溝内の上側に、Ｌ字状の係合部の係合用の凹みである係合用凹み部を形成させた商品陳列棚の設置具を設置して、係合用凹み部にＬ字状の係合部を係合させることにより、商品陳列棚を設置する形式もある。
【０００８】
このような商品陳列棚の設置形式では、図１３に示すように、商品陳列棚を取り外す場合、一旦、棚板の手前側を奥側斜め上に持ち上げて、係合用凹み部からＬ字状の係合部をはずしてから、商品陳列棚を手前に水平移動させることにより、商品陳列棚の取り外しが行われる。しかし、一段上に商品陳列棚があり且つその商品陳列棚との間隔が狭い場合、棚板の手前側を奥側斜め上に持ち上げたときに、一段上の商品陳列棚に当たってしまうために、棚板の斜め上への引き上げにより、係合用凹み部からのＬ字状の係合部の取り外しが可能となる位置まで、棚板の手前側を奥側斜め上へ持ち上げることができなくなる。そのため、一段上の商品陳列棚に陳列されている商品を全て除けてからでないと、商品陳列棚の取り外しができないという問題があった。
【０００９】
これらの問題は、冷蔵ショーケース内に設置される商品陳列棚に限ったことではなく、冷蔵とは関係のない場所に設置される商品陳列棚においても、同様な設置形態を採る商品陳列棚に共通の問題である。
【００１０】
また、図１３に示すような冷蔵ショーケースへの商品陳列棚の設置方法では、冷蔵ショーケース内に供給された冷気を循環し難いという問題もあった。
【００１１】
従って、本発明の課題は、商品陳列棚の設置場所の一端から他端までの途中、特に冷蔵ショーケースの一端から他端までの途中で、商品陳列棚の高さを変えることができ、デッドスペースを少なくすることができる商品陳列棚の設置形態を可能とする商品陳列棚設置具を提供することにある。また、本発明の課題は、一段上の商品陳列棚との間隔が狭くても、一段上の商品陳列棚に陳列されている商品を除けることなく、商品陳列棚の取り外しを行うことができる商品陳列棚設置具を提供することにある。また、本発明の課題は、冷蔵ショーケース内に供給された冷気を循環し易い商品陳列棚設置具を提供することにある。
【課題を解決するための手段】
【００１２】
上記本発明の課題は、以下の本発明により解決される。
すなわち、本発明（１）は、複数の横長面材を有し、
複数の該横長面材が、縦方向に順に間隔を開けて配置されることにより、複数の横溝が形成されており、
該横長面材の上側は、横方向の一端から他端までの全部又は一部が、商品陳列棚の後部に設けられている面材挟み込み部により挟み込まれることが可能になっていること、
を特徴とする商品陳列棚設置具を提供するものである。
【００１３】
また、本発明（２）は、商品陳列棚設置具の横長面材の上側を挟み込む面材挟み込み部を後部に有することを特徴とする商品陳列棚を提供するものである。
【発明の効果】
【００１４】
本発明によれば、商品陳列棚の設置場所の一端から他端までの途中、特に冷蔵ショーケースの一端から他端までの途中で、商品陳列棚の高さを変えることができ、デッドスペースを少なくすることができる商品陳列棚の設置形態を可能とする商品陳列棚設置具を提供することができる。また、本発明によれば、一段上の商品陳列棚との間隔が狭くても、一段上の商品陳列棚に陳列されている商品を除けることなく、商品陳列棚の取り外しを行うことができる商品陳列棚設置具を提供することができる。また、本発明によれば、冷蔵ショーケース内に供給された冷気を循環し易い商品陳列棚設置具を提供することができる。
【図面の簡単な説明】
【００１５】
【図１（Ａ）】本発明の商品陳列棚設置具が冷蔵ショーケース内に設置され、商品陳列棚が取り付けされている様子を示す模式図である。
【図１（Ｂ）】本発明の商品陳列棚設置具が冷蔵ショーケース内に設置され、商品陳列棚が取り付けされている様子を示す模式図である。
【図１（Ｃ）】本発明の商品陳列棚設置具が冷蔵ショーケース内に設置され、商品陳列棚が取り付けされている様子を示す模式図である。
【図２（Ａ）】本発明の商品陳列棚設置具の形態例の模式図である。
【図２（Ｂ）】本発明の商品陳列棚設置具の形態例の模式図である。
【図２（Ｃ）】本発明の商品陳列棚設置具の形態例の模式図である。
【図２（Ｄ）】本発明の商品陳列棚設置具の形態例の模式図である。
【図２（Ｅ）】本発明の商品陳列棚設置具の形態例の模式図である。
【図３（Ａ）】図２中の商品陳列棚設置具の斜視図である。
【図３（Ｂ）】図２中の商品陳列棚設置具の斜視図である。
【図４】図２中の横長面材の一部の拡大端面図である。
【図５（Ａ−１）】本発明の商品陳列棚の形態例の模式図である。
【図５（Ａ−２）】本発明の商品陳列棚の形態例の模式図である。
【図５（Ａ−３）】本発明の商品陳列棚の形態例の模式図である。
【図５（Ａ−４）】本発明の商品陳列棚の形態例の模式図である。
【図５（Ａ−５）】本発明の商品陳列棚の形態例の模式図である。
【図５（Ｂ）】本発明の商品陳列棚の形態例の模式図である。
【図６（Ａ）】商品陳列棚設置具１に、商品陳列棚２が取り付けられる様子を示す模式図である。
【図６（Ｂ）】商品陳列棚設置具１に、商品陳列棚２が取り付けられる様子を示す模式図である。
【図６（Ｃ）】商品陳列棚設置具１に、商品陳列棚２が取り付けられる様子を示す模式図である。
【図７（Ａ−１）】本発明の商品陳列棚設置具の形態例の模式図である。
【図７（Ａ−２）】本発明の商品陳列棚設置具の形態例の模式図である。
【図７（Ａ−３）】本発明の商品陳列棚設置具の形態例の模式図である。
【図７（Ａ−４）】本発明の商品陳列棚設置具の形態例の模式図である。
【図７（Ａ−５）】本発明の商品陳列棚設置具の形態例の模式図である。
【図７（Ｂ−１）】本発明の商品陳列棚設置具の形態例の模式図である。
【図７（Ｂ−２）】本発明の商品陳列棚設置具の形態例の模式図である。
【図７（Ｃ）】本発明の商品陳列棚設置具の形態例の模式図である。
【図８（Ａ）】商品陳列棚設置具３１に、商品陳列棚２が取り付けられる様子を示す模式図である。
【図８（Ｂ）】商品陳列棚設置具３１に、商品陳列棚２が取り付けられる様子を示す模式図である。
【図８（Ｃ）】商品陳列棚設置具３１に、商品陳列棚２が取り付けられる様子を示す模式図である。
【図９（Ａ）】本発明の商品陳列棚設置具が冷蔵ショーケース内に設置され、商品陳列棚が取り付けられている様子を示す模式図である。
【図９（Ｂ）】本発明の商品陳列棚設置具が冷蔵ショーケース内に設置され、商品陳列棚が取り付けられている様子を示す模式図である。
【図９（Ｃ）】本発明の商品陳列棚設置具が冷蔵ショーケース内に設置され、商品陳列棚が取り付けられている様子を示す模式図である。
【図１０】横溝の断面形状及び貫通孔の形態例を示す模式的な端面図である。
【図１１】商品陳列棚設置具１を用いる商品陳列棚２の取り付けバリエーションを示す図である。
【図１２】図９中の商品陳列棚及び横長面材の一部の拡大端面図である。
【図１３】従来の商品陳列棚の設置形式の一例である。
【発明を実施するための形態】
【００１６】
本発明の商品陳列棚設置具は、複数の横長面材を有し、
複数の該横長面材が、縦方向（上下方向）に順に間隔を開けて配置されることにより、複数の横溝が形成されており、
該横長面材の上側は、横方向（左右方向）の一端から他端までの全部又は一部が、商品陳列棚の後部に設けられている面材挟み込み部により挟み込まれることが可能になっていること、
を特徴とする商品陳列棚設置具である。
【００１７】
本発明の商品陳列棚設置具について、図１〜図１２を参照して説明する。図１は、本発明の商品陳列棚設置具が冷蔵ショーケースに設置され、商品陳列棚が取り付けされている様子を示す模式図であり、（Ａ）は正面図であり、（Ｂ）は側面図であり、（Ｃ）は斜視図である。図２は、本発明の商品陳列棚設置具の形態例の模式図であり、順に、正面図、背面図、平面図、底面図、側面図である。図３は、図２中の商品陳列棚設置具の斜視図であり、（Ａ）が正面上から見た斜視図であり、（Ｂ）が背面上から見た斜視図である。図４は、図３中の横長面材の一部の拡大端面図である。図５は、本発明の商品陳列棚の形態例の模式図であり、（Ａ）は順に、平面図、正面図、底面図、背面図、側面図であり、（Ｂ）は側面図の拡大図である。図６は、商品陳列棚設置具１に、商品陳列棚２が取り付けられる様子を示す模式図であり、端面図である。図７は、本発明の商品陳列棚設置具の形態例の模式図であり、（Ａ）は順に、正面図、背面図、平面図、底面図、側面図であり、（Ｂ−１）は正面上から見た斜視図であり、（Ｂ−２）は背面上から見た斜視図であり、（Ｃ）が（Ａ）中の横長面材の一部の拡大端面図である。図８は、商品陳列棚設置具３１に、商品陳列棚２が取り付けられる様子を示す模式図であり、端面図である。図９は、本発明の商品陳列棚設置具が冷蔵ショーケース内に設置され、商品陳列棚が取り付けられている様子を示す模式図であり、（Ａ）は正面図であり、（Ｂ）は側面図であり、（Ｃ）は斜視図である。図１０は、横溝の断面形状及び貫通孔の形態例を示す模式的な端面図である。図１１は、商品陳列棚設置具１を用いる商品陳列棚２の取り付けバリエーションを示す図である。図１２は、図９中の商品陳列棚及び横長面材の一部を拡大した端面図である。
【００１８】
図１中、冷蔵ショーケース３は、おにぎり、サラダ、冷蔵菓子等の冷蔵商品を陳列するためのショーケースである。冷蔵ショーケース３内の奥側の壁面には、商品陳列棚設置具１が設置されており、その商品陳列棚設置具１に、商品陳列棚２が取り付けされている。なお、図１に示す形態例では、左右両側に壁はないが、実際には、同様な冷蔵ショーケースが左右に複数連なって設置され、それらの最も左の端と右の端に壁が設置される。図９及び図１１についても同様である。
【００１９】
図２に示すように、商品陳列棚設置具１は、商品陳列棚の取り付け側に、複数の横長面材５が配置されている。各横長面材５は、商品陳列棚の取り付け側が平坦な部材であり、正面から見たときに、横長の矩形状の形状である。そして、商品陳列棚設置具１では、複数の横長面材５が、縦方向（上下方向）に順に間隔を開けて配置されている。このことにより、商品陳列棚設置具１の商品陳列棚の取り付け側に、横溝６が、商品陳列棚設置具１の右端から左端まで形成されている。図２に示す形態例では、横長面材５は、全てが両端で一体になるよう横部８に繋がっている。この形態例では、横部８で一体になっている複数の横長面材５は、横部８を介して面材固定部材７に固定されている。
【００２０】
なお、本発明の商品陳列棚設置具においては、商品陳列棚が設置される側の面、すなわち、横長面材５の平坦部により形成される面側を前とし、複数の横長面材５が設置される方向を上下方向とし、各横長面材５が延びている方向を左右方向と呼ぶ。言い換えると、横長面材５の平坦部により形成される面を垂直にしたときに、垂直方向を上下方向とし、横長面材が延びている水平方向を左右方向とし、横長面材５の平坦部により形成される面に対して垂直な方向を前後方向又は手前から奥方向と呼ぶ。
【００２１】
図３は、商品陳列棚設置具１を斜め上から見た斜視図であり、図４は、図２中の横長面材５を垂直方向に切ったときの端面図であるが、各横溝６は、断面がコ字状の形状であり、このコ字状の横溝６内の下側に、貫通孔９が形成されている。商品陳列棚設置具１では、貫通孔９は、横溝６内の下側に、その左右方向の一端からの他端に亘って形成されている横長の貫通孔である。そして、貫通孔９は、横溝６内に形成される貫通孔であるので、商品陳列棚の取り付け側１１から横長面材の裏側１２に繋がる貫通部となっている。つまり、貫通部により、商品陳列棚の取り付け側の空間と横長面材の裏側の空間とが繋がっている。なお、図２の平面図では、一番上の横溝の下側に形成されている横長の貫通孔９のみが見えているが、二番目以降の横溝の下側にも、同様に横長の貫通孔９が形成されている。
【００２２】
図５に示すように、商品陳列棚２は、商品陳列棚板１５と、後部設けられている面材挟み込み部１６と、前部に設けられている前部落下防止壁２６と、からなる。面材挟み込み部１６は、面材の上側を挟み込むための面材挟み込み部の第一片側部材１７と第二片側部材１８とからなる。そして、これらの２つの部材が、それらの間に面材の上側を挟み込むことが可能となるような隙間を開けて配設されることにより、挟み込み隙間２０が形成されている。また、商品陳列棚２には、商品陳列棚の強度を増すことを目的として、補強リブ１９が形成されている。
【００２３】
図６には、商品陳列棚設置具１に、商品陳列棚２が取り付けられる様子を示す。先ず、（Ａ）に示すように、商品陳列棚２を横溝に向かって水平に移動させて、商品陳列棚２の後部の面材挟み込み部１６を、商品陳列棚設置具１の横溝６内に入れる。そして、（Ｂ）に示すように、面材挟み込み部の第一片側部材１７の内側端２１が、横長面材の上側の後方端２４より奥になるまで、商品陳列棚２を奥方向に水平に移動させる。このとき、面材挟み込み部の第二片側部材１８の内側端２２は、横長面材５の平坦面より前側に位置する。そのため、（Ｂ）に示すように、商品陳列棚２を垂直方向下に垂直移動させると、（Ｃ）に示すように、商品陳列棚２の挟み込み部の隙間２０内に、横長面材の上側１０が入り込み、横長面材の上側１０が、商品陳列棚２の挟み込み部１６により挟み込まれる。そして、このことにより、商品陳列棚２が、商品陳列棚設置具１に取り付けられる。このとき、面材挟み込み部の第二片側部材１８の内側端２２又は下端２３が、横長面材５の平坦面に当接し、且つ、面材挟み込み部の第一片側部材１７が、貫通孔９に挿入されることにより、商品陳列棚２の位置が固定される。
【００２４】
また、図７に示すように、本発明の商品陳列棚設置具の形態例としては、横長面材５の平坦面が傾斜するように、言い換えると、複数の横長面材により形成される商品陳列棚の取り付け側の面が傾斜するように、横長面材５が面材固定部材７に固定されている商品陳列棚設置具３１が挙げられる。
【００２５】
図７（Ａ）及び（Ｂ）中、商品陳列棚設置具３１は、商品陳列棚の取り付け側に、複数の横長面材５が配置されている。各横長面材５は、商品陳列棚の取り付け側が平坦な部材であり、正面から見たときに、横長の矩形状の形状である。そして、商品陳列棚設置具３１では、複数の横長面材５が、縦方向（上下方向）に順に間隔を開けて配置されている。このことにより、商品陳列棚設置具１の商品陳列棚の取り付け側に、横溝６が、商品陳列棚設置具３１の右端から左端まで形成されている。図７に示す形態例では、横長面材５は、全てが両端で一体になるよう横部８に繋がっている。この形態例では、横部８で一体になっている複数の横長面材５は、横部８を介して面材固定部材３７に固定されている。
【００２６】
図７（Ｃ）は、図７（Ａ）及び（Ｂ）中の横長面材５を垂直方向に切ったときの端面図であるが、各横溝６は、断面がコ字状の形状であり、このコ字状の横溝６内の下側に、貫通孔９が形成されている。商品陳列棚設置具３１では、貫通孔９は、横溝６内の下側に、その左右方向の一端から他端に亘って形成されている横長の貫通孔である。そして、貫通孔９は、横溝６内に形成される貫通孔であるので、商品陳列棚の取り付け側１１から横長面材の裏側１２に繋がる貫通部となっている。つまり、貫通部により、商品陳列棚の取り付け側の空間と横長面材の裏側の空間とが繋がっている。なお、図７の平面図では、一番上の横溝の下側に形成されている横長の貫通孔９のみが見えているが、二番目以降の横溝の下側にも、同様に横長の貫通孔９が形成されている。また、図７に示す形態例のように、横長面材５の平坦部により形成される面が垂直方向に対して傾斜している場合、横溝内の下側とは、横長面材５の平坦部により形成される面を垂直になるようにしたときに、横溝内の下になっている側を指す。
【００２７】
図８には、商品陳列棚設置具３１に、商品陳列棚２が取り付けられる様子を示す。先ず、（Ａ）に示すように、商品陳列棚２を横溝６に向かって水平に移動させて、商品陳列棚２の後部の面材挟み込み部１６を、商品陳列棚設置具３１の横溝６内に入れる。そして、（Ｂ）に示すように、面材挟み込み部の第一片側部材１７の内側端２１が、横長面材の上側の後方端４０より奥くになるまで、商品陳列棚２を水平移動させる。このとき、面材挟み込み部の第二片側部材１８の内側端２２は、横長面材５の平坦面より前側に位置する。そのため、（Ｂ）に示すように、商品陳列棚２を垂直方向下に向けて垂直移動させると、（Ｃ）に示すように、商品陳列棚２の挟み込み部の隙間２０内に、横長面材の上側３０が傾斜した状態で入り込み、横長面材の上側３０が、商品陳列棚２の挟み込み部１６により挟み込まれる。そして、このことにより、商品陳列棚２が、商品陳列棚設置具１に取り付けられる。このとき、面材挟み込み部の第二片側部材１８の下端２３が、横長面材５の平坦面に当接し、且つ、面材挟み込み部の第一片側部材１７が、貫通孔９に挿入されることにより、商品陳列棚２の位置が固定される。
【００２８】
図９に示すように、商品陳列棚設置具３１は、冷蔵ショーケース３の奥側の壁面に固定され、そして、商品陳列棚設置具３１に、商品陳列棚２が取り付けられることにより、商品陳列棚２が冷蔵ショーケース３内に設置される。
【００２９】
本発明の商品陳列棚設置具は、複数の横長面材を有し、
複数の該横長面材が、縦方向に順に間隔を開けて配置されることにより、複数の横溝が形成されており、
該横長面材の上側は、横方向の一端から他端までの全部又は一部が、商品陳列棚の後部に設けられている面材挟み込み部により挟み込まれることが可能になっていること、
を特徴とする商品陳列棚設置具である。
【００３０】
本発明の商品陳列棚設置具は、複数の横長面材を有している。各横長面材は、商品陳列棚の取り付け側が平坦であり、正面から見たときの形状が、横長の矩形状の形状である。１つの横長面材の左右方向の長さは、商品陳列棚設置具が設置される場所に合わせて、適宜選択される。また、１つの横長面材の上下方向の長さ及び横長面材の数は、特に制限されず、商品陳列棚の設置間隔、商品陳列棚の設置高さの変更度合等により適宜選択され、商品陳列棚の設置高さを細かく変更したい場合には、横長面材の上下方向の長さを小さくし且つ横長面材の数を多くし、また、商品陳列棚の設置間隔が大きい場合や、商品陳列棚の設置高さを細かく変更しなくてもよい場合には、横長面材の上下方向の長さは大きく且つ横長面材の数は少なくてもよい。
【００３１】
そして、本発明の商品陳列棚設置具では、複数の横長面材が、縦方向（上下方向）に順に間隔を開けて配置されており、このことにより、商品陳列棚設置具の商品陳列棚取り付け側の面から奥に凹む複数の横溝が形成される。横溝の上下方向の幅（図４中、符号ｗで示す長さ）は、上下方向の横溝の幅であるが、その大きさは、商品陳列棚の後部に設けられている面材挟み込み部の第一片側部材が、横溝内に入ることができる大きさ以上であればよく、横溝の幅は、適宜選択されるが、通常３〜１５ｍｍ、好ましくは５〜１０ｍｍである。なお、本発明の商品陳列棚設置具が、図２に示す形態例のように、複数の横長面材により形成される商品陳列棚の取り付け側の面が垂直である場合、横溝の幅は、商品陳列棚の取り付け側の面に対して垂直に商品陳列棚を近づけたときに、商品陳列棚の後部に設けられている面材挟み込み部の第一片側部材が、横溝内に入ることができる大きさに設計され、また、図７に示す形態例のように、複数の横長面材により形成される商品陳列棚の取り付け側の面が垂直方向に対して傾斜している場合は、商品陳列棚の取り付け側の面に対して商品陳列棚を斜め向けに近づけることになるので、横溝の幅は、商品陳列棚の取り付け側の面に対して斜めに商品陳列棚を近づけたときに、商品陳列棚の後部に設けられている面材挟み込み部の第一片側部材が、横溝内に入ることができる大きさに設計される。
【００３２】
横長面材の上側は、横方向（左右方向）の一端から他端までの全部又は一部が、商品陳列棚の後部に設けられている面材挟み込み部による挟み込みが可能となる形状になっている。本発明の商品陳列棚設置具が、図２に示す形態例のように、複数の横長面材により形成される商品陳列棚の取り付け側の面が垂直である場合、横長面材の上側は垂直に、商品陳列棚の面材挟み込み部に入り込むことになるので、横長面材の商品陳列棚の取り付け側の平坦面の表面から、横長面材の上側の後方端、すなわち、商品陳列棚の面材挟み込み部により挟み込まれる横長面材の上側の部分のうち最も奥の位置（図４中、符号２４）までの長さ（図４中、符号２５）が、商品陳列棚の面材挟み込み部の隙間の大きさより、小さくなっている。また、本発明の商品陳列棚設置具が、図７に示す形態例のように、複数の横長面材により形成される商品陳列棚の取り付け側の面が垂直方向に対して傾斜している場合は、横長面材の上側が傾斜した状態で、商品陳列棚の面材挟み込み部に入り込むことになるので、商品陳列棚の面材挟み込み部の第二片側部材の下端が当接する横長面材の商品陳列棚の取り付け側の平坦面の位置から、横長面材の上側の後方端、すなわち、商品陳列棚の面材挟み込み部により挟み込まれる横長面材の上側の部分のうち最も奥の位置（図７（Ｃ）中、符号２４）までの水平方向の長さ（図７（Ｃ）中、符号２６）が、商品陳列棚の面材挟み込み部の隙間の大きさより、小さくなっている。
【００３３】
本発明の商品陳列棚設置具では、商品陳列棚の後部に設けられている面材挟み込み部による挟み込みが可能となっているのは、横長面材の上側の横方向（左右方向）の一端から他端までの全部又は一部である。横長面材の上側のうち、商品陳列棚の後部に設けられている面材挟み込み部による挟み込みが可能となっている部分の割合は、適宜選択されるが、通常、横長面材の左右方向の長さに対する商品陳列棚の後部に設けられている面材挟み込み部による挟み込みが可能となっている部分の割合は、５０％以上、好ましくは８０％以上である。そして、横長面材の上側のうち、商品陳列棚の後部に設けられている面材挟み込み部による挟み込みが可能となっている部分が多いほど、商品陳列棚の設置形態の自由度が高まる点で好ましい。また、図２及び図７に示す形態例では、横長面材の裏側に上下方向に延びる補強用の補強リブ２８が付設されているため、その補強リブ２８が付設されている部分の横長面材の上側を、商品陳列棚の面材挟み込み部で挟み込むことはできないが、本発明では、本発明の効果を損なわない範囲であれば、横長面材の上側の一部に、商品陳列棚の面材挟み込み部で挟み込むことはできない箇所があってもよい。なお、図２及び図７に示す形態例では、図５に示すような、面材挟み込み部の第一片側部のうち、補強リブ２８の付設箇所に対応する部分が切り欠かれている商品陳列棚を用いれば、補強リブ２８の付設位置にも、商品陳列棚を取り付けることができる。
【００３４】
本発明の商品陳列棚設置具では、複数の横長面材は、図２に示す形態例のように、全ての横長面材の両端が横部８に繋がることにより一体となり、横部８が面材固定部材７に固定されることにより、横長面材は横部を介して、面材固定部材に固定されているが、本発明ではこれに制限されず、例えば、複数の横長面材の両端が直接、面材固定部材に固定されていてもよい。
【００３５】
本発明の商品陳列棚設置具では、各横溝の横溝内に、商品陳列棚の取り付け側から横長面材の裏側に繋がる貫通部が形成されている。貫通部の形状は、特に制限されず、横長の貫通孔、円形の貫通孔等が挙げられる。また、貫通部の形成位置は、特に制限されず、横溝の下側であっても、上側であっても、奥側であってもよい。
【００３６】
横溝の断面形状及び貫通孔の形態例としては、図１０に示す形態例が挙げられる。図１０（Ａ）の形態例では、横溝６の断面形状がコ字状であり、横溝６内の下側に貫通孔９が形成されており、横長面材５の上側部分の商品陳列棚の取り付け側の平坦面の表面から、横長面材の上側部分の後方端までの長さが、商品陳列棚の面材挟み込み部の隙間の大きさより小さくなっている。図１０（Ａ）の形態例では、横溝の上側と奥側には貫通孔は形成されていない。
【００３７】
図１０（Ｂ）の形態例では、横溝６の断面形状が奥側と下側の一部が欠けているコ字状であり、横溝６内の下側及び奥側に貫通孔９が形成されており、横長面材５の上側部分の商品陳列棚の取り付け側の平坦面の表面から、横長面材の上側部分の後方端までの長さが、商品陳列棚の面材挟み込み部の隙間の大きさより小さくなっている。図１０（Ｂ）の形態例では、横溝の上側には貫通孔は形成されていない。
【００３８】
図１０（Ｃ）の形態例では、横溝６の奥側が全て貫通した貫通孔９が形成されており、横長面材５の上側部分の商品陳列棚の取り付け側の平坦面の表面から、横長面材の上側部分の後方端までの長さが、商品陳列棚の面材挟み込み部の隙間の大きさより小さくなっている。
【００３９】
図１０（Ａ）、（Ｂ）及び（Ｃ）のいずれの横溝の断面形状及び貫通孔の形態例も、複数の横長面材により形成される商品陳列棚の取り付け側の面が傾斜している商品陳列棚設置具の形態に適用可能である。その場合、商品陳列棚の面材挟み込み部の第二片側部材の下端が当接する横長面材の商品陳列棚の取り付け側の平坦面の位置から、横長面材の上側の後方端、すなわち、商品陳列棚の面材挟み込み部により挟み込まれる横長面材の上側の部分のうち最も奥の位置までの水平方向の長さが、商品陳列棚の面材挟み込み部の隙間の大きさより、小さくなっている。
【００４０】
図１０（Ａ）の形態例では、横溝内の下側に貫通孔が形成されており、貫通孔が商品陳列棚の面材挟み込み部の片側（第一片側部材）の挿入孔にもなっている。図１０（Ａ）の形態例は、コ字状の横溝の下側に横長の貫通孔を設けることで、商品陳列棚の面材挟み込み部による挟み込みが可能となるような位置及び大きさに、貫通孔が設けられたものである。そして、横溝内の下側に、横長の貫通孔が形成されており、貫通孔が商品陳列棚の面材挟み込み部の片側の挿入孔にもなっていることが好ましく、横溝内の下側の横方向（左右方向）の一端から他端に亘って貫通孔が形成されており、貫通孔が商品陳列棚の面材挟み込み部の片側の挿入孔にもなっていることが特に好ましい。
【００４１】
本発明の商品陳列棚設置具において、横溝内の下側の横方向の一端から他端に亘って貫通孔が形成されており、貫通孔が商品陳列棚の面材挟み込み部の片側の挿入孔にもなっている形態では、貫通孔の内側又は横長面材の上端に、商品陳列棚の左右方向の位置を位置決めするための突起、溝、凹み、板材等の位置決め手段を有すことができる。例えば、図２及び図７に示す形態例では、横長面材の裏側に補強リブ２８が付設されているが、この補強リブ２８が、位置決め手段にもなっている。
【００４２】
本発明の商品陳列棚設置具は、横長面材が固定されている面材固定部材を、設置場所の壁面又はその壁面に設けられている固定部材に固定することにより、設置場所に固定される。
【００４３】
本発明の商品陳列棚設置具に係る横長面材の材質は、特に制限されないが、プラスチック樹脂であることが軽量である点で好ましく、アクリル樹脂等の透明樹脂であることが商品陳列スペースが広く感じられる点で特に好ましい。また、本発明の商品陳列棚設置具に係る面材固定部材等の横長面材以外の材質は、特に制限されないが、プラスチック樹脂であることが軽量である点で好ましく、アクリル樹脂等の透明樹脂であることが商品陳列スペースが広く感じられる点で特に好ましい。
【００４４】
本発明の商品陳列棚は、商品陳列棚設置具の横長面材の上側を挟み込む面材挟み込み部を後部に有することを特徴とする商品陳列棚である。
【００４５】
本発明の商品陳列棚は、商品陳列棚板と、後部に設けられ商品陳列棚設置具の横長面材の上側を挟み込む面材挟み込み部と、商品が棚板の前側から落下するのを防止するための前部落下防止壁と、からなる。
【００４６】
本発明の商品陳列棚に係る面材挟み込み部は、面材の上側を挟み込むための面材挟み込み部の第一片側部と第二片側部とを有し、そして、これらの２つの部材が、それらの間に横長面材の上側を挟み込むことが可能となるような隙間を開けて配設されている。面材挟み込み部の挟み込み隙間の大きさ（図５中、符号ｕで示す長さ）は、横長面材の上側を挟み込むことができる大きさであり、且つ、横長面材の上側を挟み込んで、商品陳列棚が商品陳列棚設置具に取り付けられたときに、商品陳列棚の位置が固定されるような大きさあればよく、適宜選択されるが、通常２〜２０ｍｍ、好ましくは５〜１０ｍｍである。なお、本発明の商品陳列棚は、面材挟み込み部で、本発明の商品陳列棚設置具の横長面材の上側を、前後から挟み込むことにより、商品陳列棚設置具に取り付けられる商品陳列棚であるので、横長面材の上側の挟み込みにおいて、横長面材の上側の後ろ側に位置することになる面材挟み込み部の部位が、第一片側部であり、また、横長面材の上側の手前側に位置することになる面材挟み込み部の部位が、第二片側部である。
【００４７】
本発明の商品陳列棚に係る面材挟み込み部の第一片側部の上下方向の大きさ（図５中、符号ｔで示す長さ）は、横溝に入ることができる大きさであればよく、適宜選択されるが、通常３〜１５ｍｍ、好ましくは５〜１０ｍｍである。
【００４８】
本発明の商品陳列棚に係る面材挟み込み部の第二片側部の上下方向の大きさ（図５中、符号ｖで示す長さ）は、横溝に入いることがなく、且つ、横長面材の上側を挟み込んで、商品陳列棚が商品陳列棚設置具に取り付けられたときに、商品陳列棚の位置が固定されるような大きさあればよく、適宜選択されるが、通常３〜４０ｍｍ、好ましくは１０〜３０ｍｍである。
【００４９】
本発明の商品陳列棚では、商品陳列棚板の強度を高めるために、商品陳列棚板の裏面（商品陳列面とは反対側の面）に、前後方向に補強リブが設けられていてもよい。補強リブの数は、適宜選択される。また、図６に示す形態例のように、補強リブの後ろ側の端部が、面材挟み込み部の第二片側部を兼ねることもできる。
【００５０】
前部落下防止壁は、商品陳列棚板上の商品が前側から落下するのを防止するための部材である。この前部落下防止壁には、商品内容を表示するためのカードを取り付けるための機能を付与することもできる。
【００５１】
本発明の商品陳列棚設置具は、横長面材の上側が、横方向の一端から他端までの全部又は一部が商品陳列棚の面材挟み込み部により挟み込まれることが可能なようになっているので、複数の商品陳列棚が上下方向に設置されている場合に、一部分の商品陳列棚の高さのみを変えることができるので、デッドスペースを少なくすることができる。具体的に説明すると、図１１に示すように、本発明の商品陳列棚設置具３１を用いれば、商品陳列棚２ａと商品陳列棚２ｃの間に、横幅の短い商品陳列棚２ｂを設置することができるので、商品陳列棚２ｃの右側に背の高い商品を陳列し、左側にそれより背の低い商品を陳列しても、商品陳列棚２ｂを設置することにより、背の低い左側の商品の上側と商品陳列棚２ａとの隙間を有効に商品陳列スペースとして活用することができ、デッドスペースを少なくすることができる。なお、図１１では、説明の都合上、商品陳列棚を黒く塗りつぶした。
【００５２】
また、本発明の商品陳列棚設置具では、図６又は図８に示すように、商品陳列棚の手前側を奥側斜め上に持ち上げるようなことをせずに、上下方向については少しの移動のみで、商品陳列棚を取り外すことができるので、一段上の商品陳列棚との間隔が狭くても、一段上の商品陳列棚に陳列されている商品を除けることなく、商品陳列棚の取り外しをすることができる。
【００５３】
本発明の商品陳列棚設置具は、商品陳列棚が設置される場所で、そこに設置された固定用の壁、柱又は長板等に固定されることにより、商品陳列棚の設置用の設置具として用いられ、冷蔵とは関係のない場所に設置される商品陳列棚の設置用の商品陳列棚設置具として、好適に用いられる。
【００５４】
そして、本発明の商品陳列棚設置具は、冷蔵ショーケース用の商品陳列棚設置具として、特に好適に用いられる。図９（Ｂ）及び図１２に示すように、冷蔵ショーケース３では、下部に設置されている冷蔵部で冷却することにより冷気３５（図９（Ｂ）及び図１２中に示す矢印）が作られ、その冷気３５は、冷蔵ショーケース３の下部から背面側を通り、更に、上部を通って、商品が陳列されているショーケース内に排出される。ショーケース内に排出された冷気３５は、商品陳列棚２の手前を下方に流れ、そして、各商品陳列棚に向けて分岐して供給される。各商品陳列棚に分岐した冷気３５は、商品陳列棚の奥に流れて行くが、商品陳列棚設置具１には、商品陳列棚の取り付け側から横長面材の裏側に繋がる貫通孔９が形成されているので、冷気３５は、貫通孔９を通ることにより、商品陳列棚の取り付け側から横長面材の裏側に抜けることができる。次いで、横長面材の裏側に抜けた冷気３５は、冷蔵ショーケース内の奥の壁面に付設されている吸気口から、冷蔵ショーケース３の背面側に吸い込まれ、冷蔵ショーケースの背面側を流れる冷気３５に合流する。そのため、本発明の商品陳列棚設置具は、ショーケース内に供給された冷気を循環し易くすることができる。
【００５５】
本発明の商品陳列棚設置具は、図７に示す形態例のように、複数の横長面材により形成される商品陳列棚の取り付け側の面が傾斜していることが、（ｉ）下の商品陳列棚ほど、商品を手前に陳列し、上の商品陳列棚ほど、商品を奥に陳列することができるので、演出効果が高くなり、且つ、（ｉｉ）冷蔵ショーケース内での冷気の循環が起こり易くできる点で、好ましい。
【００５６】
本発明の商品陳列棚設置具が、複数の横長面材により形成される商品陳列棚の取り付け側の面が傾斜している形態の場合、商品陳列棚の取り付け側の面の傾斜角（横長面材の平坦面の傾斜角）は、適宜選択されるが、垂直方向に対して、通常０〜２０°、好ましくは５〜１０°である。
【００５７】
本発明の商品陳列棚の材質は、特に制限されないが、プラスチック樹脂であることが軽量である点で好ましく、アクリル樹脂等の透明樹脂であることが、陳列されている商品が、商品陳列棚の影で暗くなり難い点で好ましい。また、本発明の商品陳列棚は、商品陳列棚板と面材挟み込み部と補強リブとが一体となっているので、商品陳列棚の取り外しを速やかに行うことができる。
【符号の説明】
【００５８】
１、３１    商品陳列棚設置具
２          商品陳列棚
３          冷蔵ショーケース
５          横長面材
６          横溝
７、３７    面材固定部材
８          横部
９          貫通孔
１０、３０  横長面材の上側
１１        商品陳列棚の取り付け側
１２        横長面材の裏側
１５        商品陳列棚板
１６        面材挟み込み部
１７        第一片側部材
１８        第二片側部材
１９        補強リブ
２０        挟み込み隙間
２１        第一片側部材の内側端
２２        第二片側部材の内側端
２３        第二片側部材の下端
２４、４０  横長面材の上側の後方端
２６        前部落下防止壁
２８        補強リブ
３５        冷気
【図１（Ａ）】
2014150811.tif 000003
【図１（Ｂ）】
2014150811.tif 000004
【図１（Ｃ）】
2014150811.tif 000005
【図２（Ａ）】
2014150811.tif 000006
【図２（Ｂ）】
2014150811.tif 000007
【図２（Ｃ）】
2014150811.tif 000008
【図２（Ｄ）】
2014150811.tif 000009
【図２（Ｅ）】
2014150811.tif 000010
【図３（Ａ）】
2014150811.tif 000011
【図３（Ｂ）】
2014150811.tif 000012
【図４】
2014150811.tif 000013
【図５（Ａ−１）】
2014150811.tif 000014
【図５（Ａ−２）】
2014150811.tif 000015
【図５（Ａ−３）】
2014150811.tif 000016
【図５（Ａ−４）】
2014150811.tif 000017
【図５（Ａ−５）】
2014150811.tif 000018
【図５（Ｂ）】
2014150811.tif 000019
【図６（Ａ）】
2014150811.tif 000020
【図６（Ｂ）】
2014150811.tif 000021
【図６（Ｃ）】
2014150811.tif 000022
【図７（Ａ−１）】
2014150811.tif 000023
【図７（Ａ−２）】
2014150811.tif 000024
【図７（Ａ−３）】
2014150811.tif 000025
【図７（Ａ−４）】
2014150811.tif 000026
【図７（Ａ−５）】
2014150811.tif 000027
【図７（Ｂ−１）】
2014150811.tif 000028
【図７（Ｂ−２）】
2014150811.tif 000029
【図７（Ｃ）】
2014150811.tif 000030
【図８（Ａ）】
2014150811.tif 000031
【図８（Ｂ）】
2014150811.tif 000032
【図８（Ｃ）】
2014150811.tif 000033
【図９（Ａ）】
2014150811.tif 000034
【図９（Ｂ）】
2014150811.tif 000035
【図９（Ｃ）】
2014150811.tif 000036
【図１０】
2014150811.tif 000037
【図１１】
2014150811.tif 000038
【図１２】
2014150811.tif 000039
【図１３】
2014150811.tif 000040